(57)【要約】      （修正有）【課題】電気機器を充電するための充電装置を提供する。【解決手段】電気機器に対する接続のためのコネクタ（２）と、壁に取り付けられ得るプレート（１）と、アイドル位置から使用位置へと伸ばされ得るケーブルとを備え、前記コネクタ（２）が、前記ケーブルの一方の端部に配置されていることを特徴とする。本考案は、オフィス、ホテルまたは任意の公共の場所等の任意の場所の壁に設置された汎用的な充電器の提供を可能にする。【選択図】図１
0003210168.tif 000002
【実用新案登録請求の範囲】
【請求項１】
電気機器に対する接続のためのコネクタ（２）を備えた、電気機器を充電するための充電装置であって、
壁に取り付けられ得るプレート（１）と、アイドル位置から使用位置へと伸ばされ得るケーブル（９）とを備え、前記コネクタ（２）は、前記ケーブル（９）の一方の端部に配置されていることを特徴とする充電装置。
【請求項２】
前記アイドル位置において、前記ケーブル（９）は、前記プレート（１）に取り付けられた回転軸周りに回転する回転リール（６）に巻回されていることを特徴とする請求項１に記載の充電装置。
【請求項３】
前記回転リール（６）は、その一方の端部において歯止め（８）に関連付けられた歯車（７）を備え、前記歯止め（８）は、前記回転リール（６）の一方向への回転は許可するが、前記一方向とは反対の方向への回転は禁止することを特徴とする請求項２に記載の充電装置。
【請求項４】
前記回転リール（６）は、弾性バネ（１０）に関連付けられており、前記回転軸に力を加えて前記ケーブル（９）を前記アイドル位置に付勢することを特徴とする請求項２または３に記載の充電装置。
【請求項５】
送電網および前記ケーブル（９）に接続されるとともに、前記ケーブル（９）の出力電圧を調整するベースプレート（１１）をさらに備えたことを特徴とする請求項１に記載の充電装置。
【請求項６】
前記歯止め（８）が前記回転リール（６）に接触した状態になるのを妨げるための、前記歯止め（８）に関連付けられた押しボタン（１２）をさらに備えたことを特徴とする請求項３に記載の充電装置。
【請求項７】
前記ケーブル（９）の通過のためのヒンジ付きの蓋（１３）が設けられたカバー（３）をさらに備えたことを特徴とする請求項１〜６のいずれか一項に記載の充電装置。
【考案の詳細な説明】
【技術分野】
【０００１】
本考案は、電気機器を充電するための充電装置に関し、特に、携帯電話、音楽プレーヤー等のポータブル機器を充電するための汎用的な充電装置に関する。
【背景技術】
【０００２】
通常、携帯電話およびポータブル装置は、ますます多くの機能を提供するとともに、集中的に使用されている。例えば、現在の携帯電話は、インターネットに常時接続されるとともに、電子メール、ソーシャルネットワーク、ニュース等に関するリアルタイム通知を受け取る。
【０００３】
これらの機能および用途は、多くのエネルギーを消耗するという欠点を有している。このため、携帯装置は、高い頻度で充電されなければならない。
【０００４】
実際には、最新世代の携帯電話は、バッテリーがせいぜい２４時間以下しか持続しないので、例えば、毎日の充電が必要となることが一般的である。
【０００５】
このことは、携帯電話を充電して必要なときに使用するために、使用者が、送電網に対する接続のための１つ以上の充電器を持っていなければならないことを意味する。
【０００６】
結果として、一般的なオフィス、ホテル、公共の場所等の場所で利用可能な汎用的な充電装置の存在が、使用者が個人用の充電器を持ち歩かなくて済むという大きな利点をもたらすことは明らかである。
【考案の概要】
【０００７】
本考案の充電装置は、上述の欠点を解決するとともに、これから説明する他の利点を提供する。
【０００８】
本考案に係る電気機器を充電するための充電装置は、電気機器に対する接続のためのコネクタと、壁に取り付けられ得るプレートと、アイドル位置から使用位置へと伸ばされ得るケーブルとを備え、前記コネクタは、前記ケーブルの一方の端部に配置されていることを特徴とする。
【０００９】
好ましい実施形態によれば、前記ケーブルは、前記アイドル位置において、前記プレートに取り付けられた回転軸周りに回転する回転リールに巻回されている。
【００１０】
好ましくは、前記回転リールは、その一方の端部において歯止めに関連付けられた歯車を備え、前記歯止めは、前記回転リールの一方向への回転は許可するが、前記一方向とは反対の方向への回転は禁止する。
【００１１】
さらに好ましくは、前記回転リールは、弾性バネに関連付けられており、前記回転軸に力を加えて前記ケーブルを前記アイドル位置に付勢する。
【００１２】
本考案に係る電気機器を充電するための充電装置は、送電網および前記ケーブルに接続されるとともに、前記ケーブルの出力電圧を調整するベースプレートをさらに備え、その結果、ポータブル電気機器の充電に適したものとなっていることが好ましい。
【００１３】
また、本考案に係る電気機器を充電するための充電装置は、前記歯止めが前記回転リールに接触した状態になるのを妨げるための、前記歯止めに関連付けられた押しボタンをさらに備えていることが好ましい。
【００１４】
さらに、本考案に係る電気機器を充電するための充電装置は、前記ケーブルの通過のためのヒンジ付きの蓋が設けられたカバーをさらに備えていることが好ましい。
【００１５】
本考案に係る充電装置は、オフィス、ホテルまたは任意の公共の場所等の任意の場所の壁に設置された汎用的な充電器を提供する。その結果、使用者は、例えば自分の携帯電話を充電するために、自分自身の充電器を持っている必要がない。
【００１６】
さらに、充電器が使用されていない場合、充電器のケーブルは完全に巻かれている。また、使用位置において、ケーブルは快適な使用に適した長さを有する。
【図面の簡単な説明】
【００１７】
前述の説明のよりよい理解のために、実際的な実施形態が非限定的な一例として概略的に示された図面を添付する。
【００１８】
【図１】本考案に係る電気機器を充電するための充電装置の側面図である。
【図２】本考案に係る充電装置の、ケーブルが巻回された状態のリールの斜視図である。歯車に作用する歯止めが見えている。
【図３】本考案に係る、カバーおよびケーシングが取り外された状態の充電装置の斜視図である。
【図４】本考案に係る充電装置のリールの側面図である。リール内に収容された弾性バネが見えている。
【考案を実施するための形態】
【００１９】
図１に見られるように、本考案に係る電気機器を充電するための充電装置は、後述するように当該装置の主要な構成要素が取り付けられたプレート１と、アイドル位置においてハウジング内のプレート１の前部に配置されたコネクタ２と、プレート１の前部に配置されたカバー３と、カバー３の周囲に配置されたフレーム４と、使用位置において壁の中に設置されるとともに、プレート１に取り付けられた構成要素を収容するケーシング５とを備えている。
【００２０】
図２および図３に見られるように、プレート１には回転リール６が取り付けられている。この回転リール６には、（図示された）アイドル位置から使用位置まで伸ばされ得るケーブル８が巻回されている。ケーブル２の一方の端部には、好ましくはミニＵＳＢコネクタ、ＵＳＢコネクタ等の、多くの公知のモバイル装置に対する接続が可能な汎用コネクタであるコネクタ２が配置されている。
【００２１】
図２に示すように、回転リール６は、その一方の端部において、湾曲部と直線部とを有する歯で構成された歯車７を備えている。また、回転リール６は、その内部において弾性バネ１０を備えている。弾性バネ１０の機能は、ケーブル９がアイドル位置にくるようにリール６を付勢して回転させることである。
【００２２】
歯車７の歯は、歯止め８に関連付けられている。歯止め８の機能は、回転リール６の一方向への回転を妨げること、特に、弾性バネ１０の作用によりケーブル９が自動的にアイドル位置に戻るのを妨げることである。
【００２３】
また、本考案に係る充電装置は、送電網およびケーブルに接続されるベースプレート１１を備えている。ベースプレート１１の主な機能は、ポータブル電気機器の正しい充電を可能にするためにケーブルの出力電圧を調整することである。
【００２４】
図３は、ベースプレート１１に取り付けられた様々な電子部品を示している。これらの電子部品は従来の部品であり、本明細書では詳細に説明しない。
【００２５】
カバー３は、歯止め８を歯車７の歯と接触しない位置に移動させるための押しボタン１２と、ケーブル９の通過を可能にするためのヒンジ付きの蓋１３とを備えている。
【００２６】
本考案に係る充電装置の動作は以下の通りである：図示されたアイドル位置から携帯電話等の電気機器を充電したい場合、使用者は、コネクタ２を取り出すために蓋１３を開けなければならない。そのために、使用者は、コネクタ２を引っ張り、次いで、リール６の回転軸周りの回転によって徐々にリール６からほどかれていくケーブル９を引っ張る。歯止め８は、歯車７の歯の構成の結果として、リール６の上記回転を許可する。
【００２７】
電気機器との快適な接続を可能とするのに十分な長さのケーブル９がほどかれると、使用者は、コネクタ２を引っ張るのをやめる。このとき、歯止め８は、リール６をその位置においてロックする。
【００２８】
使用者が本考案に係る充電装置の使用をもはや望まない場合、使用者は、電気機器からコネクタ２を外し、押しボタン１２を押すだけでよい。
【００２９】
押しボタン１２を作動させることにより、歯止め８は、歯車７の歯と接触しない状態になり、弾性バネ１０の作用により、それまでの回転運動とは反対の方向へのリール６の回転を可能にする。そして、ケーブルが再び巻き上げられ、リール６に巻回される。
【００３０】
本考案の特定の実施形態について説明してきたが、添付の特許請求の範囲によって規定された保護の範囲から逸脱しない範囲で、説明された充電装置が多くの変更および修正の影響を受けやすいこと、および、言及された全ての細目が他の技術的に等価な細目に置き換えることができることは、当業者にとって明らかである。
【図１】
0003210168.tif 000003
【図２】
0003210168.tif 000004
【図３】
0003210168.tif 000005
【図４】
0003210168.tif 000006